(57)【要約】  一般的な液冷式圧縮機では、必要空気量に応じて電動機の発停を繰り返すことにより無負荷動力を削減することは有効な手段であるが、大出力の電動機では発停頻度回数が多くなり電動機の信頼性低下につながるという点に関して考慮されていなかった。  上記課題を解決するために、冷却のための液体を循環させるための冷却経路を備え、圧力差により圧縮機本体内に前記液体を循環させる液冷式圧縮機であって、圧縮機本体の空気流入調整を行う吸入弁を有し、吸入弁からの空気流入量を変化させることで、無負荷運転時に最小循環給油圧力以上の値と低い値の二段階の減圧運転圧力で減圧運転を行うようにした。これにより、大出力の電動機での無負荷運転時の圧縮機および電動機の信頼性を確保しつつ、余分な動力を削減し無負荷運転時のエネルギー効率の向上を両立させた圧縮機を提供することができる。
2016002635.tif 000002
【特許請求の範囲】
【請求項１】
冷却のための液体を循環させるための冷却経路を備え、圧力差により圧縮機本体内に前記液体を循環させる液冷式圧縮機であって、
前記圧縮機本体の空気流入調整を行う吸入弁を有し、
前記吸入弁からの空気流入量を変化させることで、無負荷運転時に最小循環給油圧力以上の値と低い値の二段階の減圧運転圧力で減圧運転を行うことを特徴とする液冷式圧縮機。
【請求項２】
請求項１に記載の液冷式圧縮機において、
前記圧縮機本体の下流側に位置し無負荷運転時に圧力が保持される箇所と前記吸入弁を連通する経路と、
前記経路に開閉装置を備え、
前記開閉装置の作動により、前記二段階の減圧運転圧力で減圧運転を行うことを特徴とする液冷式圧縮機。
【請求項３】
請求項１に記載の液冷式圧縮機において、
前記吸入弁の上流側と下流側を連通する経路と、
前記経路に開閉装置を備え、
前記開閉装置の作動により、前記二段階の減圧運転圧力で減圧運転を行うことを特徴とする液冷式圧縮機。
【請求項４】
請求項２または３のいずれか1項に記載の液冷式圧縮機において、
温度検出装置を備え、
前記温度検出装置で検出される値に応じて、前記開閉装置を作動させることを特徴とする液冷式圧縮機。
【請求項５】
請求項２または３のいずれか1項に記載の液冷式圧縮機において、
無負荷運転連続時間を算出する時間積算装置を備え、該積算される無負荷運転連続時間に応じて、前記開閉装置を作動させることを特徴とする液冷式圧縮機。
【請求項６】
請求項４に記載の液冷式圧縮機において、
前記温度検出装置で検出される値が第1の値を超えた場合、前記開閉装置を開状態にして、前記吸入弁を微開状態とし、最小循環給油圧力以上の減圧運転圧力で減圧運転を行い、
前記温度検出装置で検出される値が第1の値よりも小さい第２の値を下回った場合、前記開閉装置を閉状態にして、前記吸入弁を閉状態とし、最小循環給油圧力よりも低い減圧運転圧力で減圧運転を行うことを特徴とする液冷式圧縮機。
【請求項７】
請求項５に記載の液冷式圧縮機において、
無負荷運転時に、前記積算時間が第1の値を超えた場合、前記開閉装置を開状態にして、前記吸入弁を微開状態とし、最小循環給油圧力以上の減圧運転圧力で減圧運転を行い、
その後、前記積算時間が第２の値を超えた場合、前記開閉装置を閉状態にして、前記吸入弁を閉状態とし、最小循環給油圧力よりも低い減圧運転圧力で減圧運転を行うことを特徴とする液冷式圧縮機。
【請求項８】
冷却のための液体を循環させるための冷却経路を備え、圧力差により圧縮機本体内に前記液体を循環させる液冷式圧縮機であって、
最小循環給油圧力よりも低い減圧運転圧力と圧縮機本体の上限温度と下限温度を設定できる設定画面を設けたことを特徴とする液冷式圧縮機。
【請求項９】
冷却のための液体を循環させるための冷却経路を備え、圧力差により圧縮機本体内に前記液体を循環させる液冷式圧縮機の運転方法であって、
無負荷運転時に最小循環給油圧力より低い減圧運転圧力での第1の減圧運転と最小循環給油圧力以上の減圧運転圧力での第２の減圧運転とを行うことを特徴とする液冷式圧縮機の運転方法。
【請求項１０】
請求項９に記載の液冷式圧縮機の運転方法において、
圧縮機本体の温度に応じて、前記第1の減圧運転と第２の減圧運転を切換えることを特徴とする液冷式圧縮機の運転方法。
【請求項１１】
請求項９に記載の液冷式圧縮機の運転方法において、
無負荷運転連続時間に応じて、前記第1の減圧運転と第２の減圧運転を切換えることを特徴とする液冷式圧縮機の運転方法。
【発明の詳細な説明】
【技術分野】
【０００１】
本発明は圧力差を利用して圧縮機本体や軸受に液体を注入する液冷式圧縮機に関する。
【背景技術】
【０００２】
一般的な液冷式圧縮機では、圧縮工程において、潤滑とシール、冷却を目的として液体を注入する。空気圧縮機が供給する圧縮空気中には液滴を含んではならないため、液冷式圧縮機の内部には圧縮空気と液体を分離するための分離器を有する。分離器で分離された液体は分離器下部に貯留し、液体は分離器と圧縮機本体との圧力差を利用して、熱交換器やフィルタを通過して圧縮機本体や軸受へ注入され、雌雄ロータおよび軸受の潤滑や冷却を行う。【０００３】
そのため、無負荷時に減圧運転を行う容量制御状態では、液体が圧縮機本体へ回収できる圧力差（以下、最小循環給油圧力Ｐ2）を保持し、軸受等へ液体を注入して潤滑・冷却を行うことにより信頼性を確保するために、吸入弁を微開にして流体を吸込み、所定の圧力（以下、減圧運転圧力Ｐ1、Ｐ1＞Ｐ2）まで流体を圧縮する必要があった。そのため余分な圧縮動力を必要とし、無負荷運転時のエネルギー効率が悪化する問題点があった。【０００４】
上記問題を解決するために、無負荷時に圧縮機を停止する技術も知られているが、大出力の電動機では発停頻度回数を多くすると電動機内部の熱が放熱せず、コイル焼損等が発生する可能性が高くなり、圧縮機の信頼性が低下する問題点があった。【０００５】
本技術分野の背景技術として、特許第３２６２０１１号公報（特許文献１）がある。特許文献１では、回転数制御装置を備えたスクリュー圧縮機において、容量制御運転時に圧縮機を自動発停し、無負荷運転時の動力を削減する技術を前提として、自動停止する際に、仕様圧力よりも高い圧力まで圧縮した後に停止することにより、停止時間の延長を図り停止回数の増加を防止している。
【先行技術文献】
【特許文献】
【０００６】
【特許文献１】特許第３２６２０１１号公報
【発明の概要】
【発明が解決しようとする課題】
【０００７】
特許文献１のように必要空気量に応じて電動機の発停を繰り返すことにより、無負荷動力を削減することは有効な手段であるが、急激な負荷変動に対応するため、圧縮機の下流側に設置する空気槽の容量を大きくしなければならない可能性がある。また、大出力の電動機では発停頻度回数が多くなり電動機の信頼性低下につながるという点に関して考慮されていなかった。【０００８】
本発明の目的は、大出力の電動機での無負荷運転時の圧縮機および電動機の信頼性を確保しつつ、余分な動力を削減しエネルギー効率の向上を両立させた圧縮機を提供することである。
【課題を解決するための手段】
【０００９】
上記課題を解決するために、例えば請求の範囲に記載の構成を採用する。本願は上記課題を解決する手段を複数含んでいるが、その一例を挙げるならば、冷却のための液体を循環させるための冷却経路を備え、圧力差により圧縮機本体内に液体を循環させる液冷式圧縮機であって、圧縮機本体の空気流入調整を行う吸入弁を有し、吸入弁からの空気流入量を変化させることで、無負荷運転時に最小循環給油圧力以上の値と低い値の二段階の減圧運転圧力で減圧運転を行う構成とした。
【発明の効果】
【００１０】
本発明によれば、大出力の電動機での無負荷運転時の圧縮機および電動機の信頼性を確保しつつ、余分な動力を削減し無負荷運転時のエネルギー効率の向上を両立させた圧縮機を提供することができる。
【図面の簡単な説明】
【００１１】
【図１】実施例１における液冷式圧縮機の系統図である。
【図２】一般的な液冷式圧縮機の系統図である。
【図３】一般的な液冷式圧縮機における無負荷運転時のＰＶ線図である。
【図４】実施例１における液冷式圧縮機の無負荷運転時のＰＶ線図である。
【図５】実施例１における液冷式圧縮機の無負荷時における圧縮動力の低減効果を示す図である。
【図６】実施例２における液冷式圧縮機の系統図である。
【図７】実施例３における液冷式圧縮機の系統図である。
【図８】実施例４における液冷式圧縮機の操作パネルを示す図である。
【図９】実施例４における液冷式圧縮機の設定値の設定手順を説明する図である。
【発明を実施するための形態】
【００１２】
本発明の実施例を、図面を用いて説明する。
【００１３】
まず一般的な液冷式圧縮機について説明する。図２は一般的な液冷式圧縮機の系統図である。図２において、吸込空気は圧縮機から発生する騒音を低減する防音カバ（図示しない）に設けられた開口部から吸入フィルタ１、吸入弁２を通過し、圧縮機制御基板を搭載した電気箱９より電力を供給されて回転する電動機４によって駆動される圧縮機本体３によって所定の圧力まで圧縮される。その後、油分離器５や調圧逆止弁６、アフタークーラ７、ドライヤ（図示しない）を通過したのち圧縮機の外部へ接続され、各用途に使用される。一方、循環油は、圧縮機本体３で空気と共に圧縮され、油分離器５で圧縮空気と分離されたのちにオイルクーラ８で冷却され、オイルフィルタ（図示しない）等を通過したのちに圧縮機本体内部に収納された雌雄ロータ、軸受等に供給される経路を循環する。
【００１４】
無負荷運転時には、調圧逆止弁６の逆止機能により調圧逆止弁より下流（２次側）の圧力が保持されるため、油分離器５に保持された圧力を大気解放することにより圧縮動力の削減を図っている。
【００１５】
図３は一般的な液冷式圧縮機における無負荷運転時のＰＶ（Pressure Volume）線図である。無負荷運転時には、図３に示すように、圧縮機本体内部に収納された雌雄ロータおよび軸受の潤滑・冷却を行うために、オイルクーラ８や経路圧力損失を考慮した最小循環給油圧力Ｐ２より高くなるよう、吸入弁２を微開にして、仕様運転圧力よりも減圧して運転する減圧運転圧力Ｐ1まで圧縮している。そのため、無負荷運転時に余分な圧縮動力を発生させている。
【実施例１】
【００１６】
図１は本実施例の液冷式圧縮機の系統図である。なお、図２と共通する部分については説明を省略する。図１において、本実施例の液冷式圧縮機は、調圧逆止弁６の下流側（２次側）、すなわち、無負荷運転時に圧力が保持される箇所、と吸入弁２を接続する経路に開閉装置１０を備え、圧縮機本体３に軸受温度を検出する温度検出装置１１と、温度検出装置１１からの出力により開閉装置１０の開閉を制御する電気箱９に収納された温度制御装置１２を備える構成とする。【００１７】
本実施例の液冷式圧縮機の動作について、以下説明する。図４は、本実施例の液冷式圧縮機における無負荷運転時のＰＶ線図である。図４に示すように、無負荷運転時において、最小循環給油圧力Ｐ2（例えば、０.２５ＭＰａ）よりも低い減圧運転圧力Ｐ1（例えば、０.１５ＭＰａ）で運転を行う。Ｐ1＜Ｐ2では潤滑油が循環しないため、無負荷運転状態が長時間連続すると圧縮機本体内部の軸受温度が上昇し始める。圧縮機３に取り付けられた温度検出装置１１で軸受温度を監視しつつ、圧縮機制御基板内に組み込まれた温度制御装置１２により、検出される温度データとあらかじめ決定された温度メモリ（例えば、上限温度ＴＰ１＝１００℃、下限温度ＴＰ２＝６０℃）とを比較する。温度検出データが１００℃を超えた場合、圧縮機制御基板より開閉装置１０へ開指令を出し、調圧逆止弁６より下流側の圧力を吸入弁２へ供給する。【００１８】
吸入弁２は、圧力が高くなると開く弁であって、その結果、吸入弁２が微開となり、圧縮機本体３が微量の空気を吸い込むことにより、減圧運転圧力Ｐ1が最小循環給油圧力Ｐ2以上（Ｐ1≧Ｐ2）となる。その結果、潤滑油が循環し始め、軸受および雌雄ロータの潤滑・冷却を行い、温度検出データが６０℃を下回った場合、圧縮機制御基板より開閉装置１０へ閉指令を出し、吸入弁２を微開から閉状態へ移行させ、図３に示すように、再び減圧運転圧力Ｐ1＝０．１５ＭＰａで運転を行う。【００１９】
図５は、本実施例による無負荷時における圧縮動力の低減効果を示す図である。図５において、斜線部が仕事量を削減した部分であり、その圧縮動力低減分は約３０％となる。【００２０】
以上のように、本実施例は、冷却のための液体を循環させるための冷却経路を備え、圧力差により圧縮機本体内に前記液体を循環させる液冷式圧縮機であって、
圧縮機本体の空気流入調整を行う吸入弁を有し、吸入弁からの空気流入量を変化させることで、無負荷運転時に最小循環給油圧力以上の値と低い値の二段階の減圧運転圧力で減圧運転を行うようにした。【００２１】
また、言い換えれば、冷却のための液体を循環させるための冷却経路を備え、圧力差により圧縮機本体内に前記液体を循環させる液冷式圧縮機の運転方法であって、無負荷運転時に最小循環給油圧力より低い減圧運転圧力での第1の減圧運転と最小循環給油圧力以上の減圧運転圧力での第２の減圧運転とを行うようにした。【００２２】
本実施例によれば、通常の無負荷運転時は最小循環給油圧力Ｐ２よりも低い減圧運転圧力Ｐ１で運転をしながら、一時的に軸受等の保護のため最小循環給油圧力Ｐ２まで圧力を上昇させる。強制的に液体を循環させることにより、大出力の電動機での無負荷運転時の圧縮機および電動機の信頼性の確保しつつ、余分な動力を削減し無負荷運転時のエネルギー効率の向上を両立させた圧縮機を提供することができる。【００２３】
すなわち、無負荷運転時に減圧運転圧力Ｐ1を最小循環給油圧力Ｐ2以上の値と低い値の二段階で減圧運転を行うことにより、電動機を停止することなく圧縮機および電動機の信頼性を確保しつつ、余分な動力を削減しエネルギー効率の向上を両立させた圧縮機を提供することができる。【００２４】
なお、上記実施例では、被圧縮流体を空気としているが、他のガスであっても構わない。また、圧縮機本体へ注入する液体を油としているが、水やその他の液体であっても構わない。また、電動機としているが、原動機であっても構わない。
また、上記実施例における圧縮機本体は、スクリュー圧縮機や、スクロール圧縮機、レシプロ圧縮機などに適用可能で、圧縮方式にこだわらない。【００２５】
また、上記実施例では、温度検出装置１１で検出する温度を軸受温度としているが、圧縮機ケース温度、雌雄ロータ温度であっても構わない。また、温度検出装置ではなく、振動・音を検出する装置であっても構わない。【００２６】
また、上記実施例では、温度制御装置１２にて検出温度による判定を行っているが、圧縮機へ吸入される大気温度との温度差、すなわち温度上昇値で判定を行っても構わない。この場合、大気温度を測定する温度検出装置が必要となるが、温度上昇値で判断することにより、季節や設置地域といった周囲環境に因らず判定することができる。
【実施例２】
【００２７】
図６は本実施例の液冷式圧縮機の系統図である。なお実施例１と共通する部分については説明を省略する。本実施例が実施例１と異なる点は、吸入弁２の上流側と下流側（１次側と２次側）を接続する経路に開閉装置１０を備える構造とした点である。【００２８】
本実施例の液冷式圧縮機の動作について、以下説明する。図６において、無負荷運転時においては、最小循環給油圧力Ｐ2よりも低い減圧運転圧力Ｐ1（Ｐ1＜Ｐ2）で運転を行う。無負荷運転状態が長時間連続し、温度検出装置１１で軸受温度の上昇を検出すると、温度制御装置１２から開閉装置１０へ開指令を出し、吸入弁２の上流側と下流側を連通させる。すると、吸入弁２の上流側である吸入フィルタ１の２次側から圧縮機本体３に空気を吸い込むことにより、最小循環給油圧力Ｐ2以上の減圧運転圧力Ｐ1（Ｐ1≧Ｐ2）で運転することになる。その後、軸受が冷却したことを温度検出装置１１が検出し、温度制御装置１２から開閉装置１０へ閉指令が出ることで、再度、最小循環給油圧力Ｐ2よりも低い減圧運転圧力Ｐ1（Ｐ1＜Ｐ2）で運転を行う。【００２９】
このように、本実施例によれば、実施例1に比べて、吸入弁２の上流側と下流側をバイパスするだけであるので、構造が簡単となる効果がある。また、実施例1と同様に、無負荷運転時に減圧運転圧力Ｐ1を最小循環給油圧力Ｐ2以上の値と低い値の二段階となるように減圧運転を行うことにより、電動機を停止することなく、大出力の電動機での無負荷運転時の圧縮機および電動機の信頼性を確保しつつ、余分な動力を削減しエネルギー効率の向上を両立させた圧縮機を提供することができる。【００３０】
なお、本実施例では、開閉装置１０を吸入弁２の上流側と下流側を連通させる経路に設置しているが、調圧逆止弁６より下流側（２次側）と吸入弁２の下流側（２次側）を連通させる経路に設置しても構わない。この場合、圧力差が大きいため開閉装置１０や接続経路の小型化が可能となる効果がある。
【実施例３】
【００３１】
図７は本実施例の液冷式圧縮機の系統図である。なお実施例１，２と共通する部分については説明を省略する。本実施例が実施例２と異なる点は、温度検出装置１１を使用せず、開閉装置１０の開閉を制御する電気箱９に収納された温度制御装置１２は、無負荷運転連続時間で制御する点である。【００３２】
本実施例の液冷式圧縮機の動作について、以下説明する。図７において、無負荷運転時においては、まず最小循環給油圧力Ｐ2よりも低い減圧運転圧力Ｐ1（Ｐ1＜Ｐ2）で運転を行う。圧縮機制御基板内に組み込まれた温度制御装置１２は、無負荷運転連続時間を算出する時間積算装置の機能を有し、無負荷運転連続時間とあらかじめ決定された無負荷時間メモリとを比較する。所定の無負荷時間（例えば、Ｔ１＝１０ｍｉｎ）を超えた場合に、圧縮機制御基板より開閉装置１０へ開指令を出し、吸入弁２の上流側と下流側を連通させ、最小循環給油圧力Ｐ2以上の減圧運転圧力Ｐ1（Ｐ1≧Ｐ2）で運転する。また所定の無負荷時間（例えば、Ｔ２＝５ｍｉｎ）を経過した際に、温度制御装置１２より開閉装置１０へ閉指令が出ることで、再度、最小循環給油圧力Ｐ２よりも低い減圧運転圧力Ｐ1（Ｐ1＜Ｐ2）で運転を行う。【００３３】
このように、本実施例によれば、実施例１，２に比べて、温度検出装置が不要となり安価に構成できるという効果がある。また、実施例1、２と同様に、無負荷運転時に減圧運転圧力Ｐ1を最小循環給油圧力Ｐ2以上の値と低い値の二段階となるように減圧運転を行うことにより、電動機を停止することなく、大出力の電動機での無負荷運転時の圧縮機および電動機の信頼性を確保しつつ、余分な動力を削減しエネルギー効率の向上を両立させた圧縮機を提供することができる。【００３４】
なお、本実施例では、温度制御装置１２を無負荷運転連続時間にて判断しているが、無負荷運転回数でも構わない。この場合、例えば１０回の無負荷運転のうち、１回だけは、最小循環給油圧力Ｐ2以上の減圧運転圧力Ｐ1（Ｐ1≧Ｐ2）で運転するよう制御する。
【実施例４】
【００３５】
上記実施例では、減圧運転圧力Ｐ１や温度メモリ等はあらかじめ設定されたものとして説明したが、それらの値を圧縮機を操作する操作パネルから設定する構成について本実施例で説明する。【００３６】
図８は本実施例における液冷式圧縮機の操作パネルを示す図である。図８において、１９は表示ブロックであって、それ以外の機能ボタンとして、１４は圧縮機の運転を開始する運転ボタン、１３は圧縮機の運転を停止する停止ボタン、１５、１６は表示値の順送り、逆送りボタン、１７は設定したデータを保存する記憶ボタン、１８は入力モードを切り替える機能ボタンである。また、それ以外は運転状況を表示する表示部である。【００３７】
また、図９は図８の操作パネルの表示ブロック１９の状態を示した図であり、設定値を設定するときの手順を示した図である。【００３８】
図９において、まず機能ボタン１８を押すと、項目選択モードとなり、項目を選択することが出来る。すなわち、表示ブロックの左端が項目番号、右側が数値を表示しており、機能ボタン１８を押し、順送り、逆送りボタン１５，１６を用いて項目を選択する。図９の例では、２０が項目１を選択した場合を示している。ここで、項目番号に対する項目内容はあらかじめ登録されており、本実施例では、１：最小循環給油圧力Ｐ2よりも低い減圧運転圧力Ｐ１、２：上限温度ＴＰ１、３：下限温度ＴＰ２として説明する。【００３９】
次に、変更したい項目番号を選択したあと、機能ボタン１８を押して、数値入力モードとする。その後、順送り、逆送りボタン１５，１６を用いて設定したい数値に合わせる。そして記憶ボタン１７でデータ保存する。【００４０】
その後、機能ボタン１８、順送り、逆送りボタン１５，１６を同様に操作して、他の変更したい項目の設定を行う。図９の例では、２１が、１：減圧運転圧力＝０．１５Ｍｐａを設定した場合を示しており、２２が、２：上限温度＝１００℃、２３が、３：下限温度＝６０℃を設定した場合を示している。【００４１】
本実施例では、機能ボタンと、順送り、逆送りボタンを用いて、すくなくとも最小循環給油圧力よりも低い減圧運転圧力と上限温度と下限温度を設定できる設定画面を設けるとして説明したが、もちろん、これに限定されず、例えば、２段階の減圧運転圧力である２つの減圧運転圧力それぞれを設定するようにしてもよいし、実施例３で用いる無負荷運転時間Ｔ１やＴ2を設定できるようにしてもよい。また、プルダウン式であらかじめ決められた項目から数値を選択設定するようにしてもよい。【００４２】
以上のように、本実施例によれば、すくなくとも最小循環給油圧力よりも低い減圧運転圧力と上限温度と下限温度を任意に設定できるので、例えば実施例１で説明した減圧運転圧力Ｐ1を０に近づければ、余分な動力を削減しエネルギー効率を向上させることが可能となり、また上限温度ＴＰ１を１００℃より大きな設定値にすれば、無負荷運転時間が長くなり、エネルギー効率を向上させることが可能となる。【００４３】
以上実施例について説明したが、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４４】
１：吸入フィルタ、２：吸入弁、３：圧縮機本体、４：電動機、
５：油分離器、６：調圧逆止弁、７：アフタークーラ、８：オイルクーラ、
９：電気箱、１０：開閉装置、１１：温度検出装置、１２：温度制御装置
【図１】
2016002635.tif 000003
【図２】
2016002635.tif 000004
【図３】
2016002635.tif 000005
【図４】
2016002635.tif 000006
【図５】
2016002635.tif 000007
【図６】
2016002635.tif 000008
【図７】
2016002635.tif 000009
【図８】
2016002635.tif 000010
【図９】
2016002635.tif 000011
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
冷却のための液体を循環させるための冷却経路を備え、圧力差により圧縮機本体内に前記液体を循環させる液冷式圧縮機であって、
前記圧縮機本体の空気流入調整を行う吸入弁を有し、
前記吸入弁からの空気流入量を変化させることで、無負荷運転時に最小循環給油圧力以上の値と低い値の二段階の減圧運転圧力で減圧運転を行うことを特徴とする液冷式圧縮機。
【請求項２】
請求項１に記載の液冷式圧縮機において、
前記圧縮機本体の下流側に位置し無負荷運転時に圧力が保持される箇所と前記吸入弁を連通する経路と、
前記経路に開閉装置を備え、
前記開閉装置の作動により、前記二段階の減圧運転圧力で減圧運転を行うことを特徴とする液冷式圧縮機。
【請求項３】
請求項１に記載の液冷式圧縮機において、
前記吸入弁の上流側と下流側を連通する経路と、
前記経路に開閉装置を備え、
前記開閉装置の作動により、前記二段階の減圧運転圧力で減圧運転を行うことを特徴とする液冷式圧縮機。
【請求項４】
請求項２または３のいずれか１項に記載の液冷式圧縮機において、
温度検出装置を備え、
前記温度検出装置で検出される値に応じて、前記開閉装置を作動させることを特徴とする液冷式圧縮機。
【請求項５】
請求項２または３のいずれか１項に記載の液冷式圧縮機において、
無負荷運転連続時間を算出する時間積算装置を備え、該積算される無負荷運転連続時間に応じて、前記開閉装置を作動させることを特徴とする液冷式圧縮機。
【請求項６】
請求項４に記載の液冷式圧縮機において、
前記温度検出装置で検出される値が第１の値を超えた場合、前記開閉装置を開状態にして、前記吸入弁を微開状態とし、最小循環給油圧力以上の減圧運転圧力で減圧運転を行い、
前記温度検出装置で検出される値が第１の値よりも小さい第２の値を下回った場合、前記開閉装置を閉状態にして、前記吸入弁を閉状態とし、最小循環給油圧力よりも低い減圧運転圧力で減圧運転を行うことを特徴とする液冷式圧縮機。
【請求項７】
請求項５に記載の液冷式圧縮機において、
無負荷運転時に、前記積算時間が第１の値を超えた場合、前記開閉装置を開状態にして、前記吸入弁を微開状態とし、最小循環給油圧力以上の減圧運転圧力で減圧運転を行い、
その後、前記積算時間が第２の値を超えた場合、前記開閉装置を閉状態にして、前記吸入弁を閉状態とし、最小循環給油圧力よりも低い減圧運転圧力で減圧運転を行うことを特徴とする液冷式圧縮機。
【請求項８】
冷却のための液体を循環させるための冷却経路を備え、圧力差により圧縮機本体内に前記液体を循環させる液冷式圧縮機であって、
最小循環給油圧力よりも低い減圧運転圧力と圧縮機本体の上限温度と下限温度を設定できる設定画面を設け、
無負荷運転時において、圧縮機本体の温度が前記上限温度を超えた場合に最小循環給油圧力以上の圧力で運転を行い、圧縮機本体の温度が前記下限温度を下回った場合に前記減圧運転圧力で運転を行うことを特徴とする液冷式圧縮機。
【請求項９】
冷却のための液体を循環させるための冷却経路を備え、圧力差により圧縮機本体内に前記液体を循環させる液冷式圧縮機の運転方法であって、
無負荷運転時に最小循環給油圧力より低い減圧運転圧力での第１の減圧運転と最小循環給油圧力以上の減圧運転圧力での第２の減圧運転とを行うことを特徴とする液冷式圧縮機の運転方法。
【請求項１０】
請求項９に記載の液冷式圧縮機の運転方法において、
圧縮機本体の温度に応じて、前記第１の減圧運転と第２の減圧運転を切換えることを特徴とする液冷式圧縮機の運転方法。
【請求項１１】
請求項９に記載の液冷式圧縮機の運転方法において、
無負荷運転連続時間に応じて、前記第１の減圧運転と第２の減圧運転を切換えることを特徴とする液冷式圧縮機の運転方法。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
冷却のための液体を循環させるための冷却経路を備え、圧力差により圧縮機本体内に前記液体を循環させる液冷式圧縮機であって、
前記圧縮機本体の空気流入調整を行う吸入弁を有し、
前記吸入弁からの空気流入量を変化させることで、無負荷運転時に最小循環給油圧力以上の値と低い値の二段階の減圧運転圧力で減圧運転を行うことを特徴とする液冷式圧縮機。
【請求項２】
請求項１に記載の液冷式圧縮機において、
前記圧縮機本体の下流側に位置し無負荷運転時に圧力が保持される箇所と前記吸入弁を連通する経路と、
前記経路に開閉装置を備え、
前記開閉装置の作動により、前記二段階の減圧運転圧力で減圧運転を行うことを特徴とする液冷式圧縮機。
【請求項３】
請求項１に記載の液冷式圧縮機において、
前記吸入弁の上流側と下流側を連通する経路と、
前記経路に開閉装置を備え、
前記開閉装置の作動により、前記二段階の減圧運転圧力で減圧運転を行うことを特徴とする液冷式圧縮機。
【請求項４】
請求項２または３に記載の液冷式圧縮機において、
温度検出装置を備え、    
前記温度検出装置で検出される値に応じて、前記開閉装置を作動させることを特徴とする液冷式圧縮機。
【請求項５】
請求項２または３に記載の液冷式圧縮機において、
無負荷運転連続時間を算出する時間積算装置を備え、該算出される無負荷運転連続時間に応じて、前記開閉装置を作動させることを特徴とする液冷式圧縮機。
【請求項６】
請求項４に記載の液冷式圧縮機において、
前記温度検出装置で検出される値が第1の値を超えた場合、前記開閉装置を開状態にして、前記吸入弁を微開状態とし、最小循環給油圧力以上の減圧運転圧力で減圧運転を行い、
前記温度検出装置で検出される値が第1の値よりも小さい第２の値を下回った場合、前記開閉装置を閉状態にして、前記吸入弁を閉状態とし、最小循環給油圧力よりも低い減圧運転圧力で減圧運転を行うことを特徴とする液冷式圧縮機。
【請求項７】
請求項５に記載の液冷式圧縮機において、
無負荷運転時に、前記無負荷運転連続時間が第1の値を超えた場合、前記開閉装置を開状態にして、前記吸入弁を微開状態とし、最小循環給油圧力以上の減圧運転圧力で減圧運転を行い、
その後、前記無負荷運転連続時間が第２の値を超えた場合、前記開閉装置を閉状態にして、前記吸入弁を閉状態とし、最小循環給油圧力よりも低い減圧運転圧力で減圧運転を行うことを特徴とする液冷式圧縮機。
【請求項８】
冷却のための液体を循環させるための冷却経路を備え、圧力差により圧縮機本体内に前記液体を循環させる液冷式圧縮機であって、
最小循環給油圧力よりも低い減圧運転圧力と圧縮機本体の上限温度と下限温度を設定できる設定画面を設け、
無負荷運転時において、圧縮機本体の温度が前記上限温度を超えた場合に最小循環給油圧力以上の圧力で運転を行い、圧縮機本体の温度が前記下限温度を下回った場合に前記減圧運転圧力で運転を行うことを特徴とする液冷式圧縮機。
【請求項９】
冷却のための液体を循環させるための冷却経路を備え、圧力差により圧縮機本体内に前記液体を循環させる液冷式圧縮機の運転方法であって、
無負荷運転時に最小循環給油圧力より低い減圧運転圧力での第1の減圧運転と最小循環給油圧力以上の減圧運転圧力での第２の減圧運転とを行うことを特徴とする液冷式圧縮機の運転方法。
【請求項１０】
請求項９に記載の液冷式圧縮機の運転方法において、
圧縮機本体の温度に応じて、前記第1の減圧運転と第２の減圧運転を切換えることを特徴とする液冷式圧縮機の運転方法。
【請求項１１】
請求項９に記載の液冷式圧縮機の運転方法において、
無負荷運転連続時間に応じて、前記第1の減圧運転と第２の減圧運転を切換えることを特徴とする液冷式圧縮機の運転方法。
【国際調査報告】
2016002635.tif 000012
2016002635.tif 000013
2016002635.tif 000014
2016002635.tif 000015